(57)【要約】【課題】専用の遮熱材を用いることなく液晶パネルの外周部が局所的に高温となるのを防止できるテレビを得ることにある。【解決手段】実施形態によれば、テレビは、筐体と、筐体に収容された液晶パネル、フレームおよび光源と、を備えている。液晶パネルは、筐体の開口部から露出された表示面と、表示面の裏側に位置された背面と、を有している。フレームは、液晶パネルの背面の外周部に面するパネル支持部を有している。光源は、フレームに支持されて、液晶パネルの背面を照らす。フレームのパネル支持部は、液晶パネルの背面の外周部に向けて突出された複数の突起を有し、これら突起で液晶パネルが支持されている。【選択図】図６
2013012953.tif 000002
【特許請求の範囲】
【請求項１】
開口部が設けられた筐体と、
前記筐体に収容され、前記開口部から露出された表示面と、前記表示面の裏側に位置された背面と、を有する液晶パネルと、
前記筐体に収容され、前記液晶パネルの前記背面の外周部に面するパネル支持部を有するフレームと、
前記フレームに支持され、前記液晶パネルの前記背面を照らす光源と、を具備し、
前記フレームの前記パネル支持部は、前記液晶パネルの前記背面の外周部に向けて突出された複数の突起を有し、これら突起で前記液晶パネルが支持されたテレビ。
【請求項２】
請求項１の記載において、前記フレームの前記パネル支持部は、前記液晶パネルの外周部に沿って延びているとともに、前記突起が前記液晶パネルの外周部の長手方向に間隔を存して並んだテレビ。
【請求項３】
請求項１又は請求項２の記載において、前記突起は、前記パネル支持部から前記液晶パネルの前記背面の外周部に向けて先細り状に尖った形状を有するテレビ。
【請求項４】
請求項３の記載において、前記光源が前記フレームに熱的に接続されたテレビ。
【請求項５】
請求項４の記載において、前記各突起は、前記筐体内に開口された中空の形状を有するテレビ。
【請求項６】
表示面の裏側に位置された背面を有する表示パネルと、
前記表示パネルの前記背面の外周部に面するパネル支持部を有するフレームと、
前記フレームに支持され、前記表示パネルの前記背面を照らす光源と、を具備し、
前記フレームの前記パネル支持部は、前記表示パネルの前記背面の外周部に向けて突出された複数の突起を有し、これら突起で前記表示パネルが支持された表示装置。
【請求項７】
請求項６の記載において、前記フレームは、前記光源が熱的に接続された光源支持部を有し、前記パネル支持部の少なくとも一部が前記光源支持部に連続して形成されているとともに、前記光源支持部に対応した前記パネル支持部に前記突起が形成された表示装置。
【請求項８】
請求項６の記載において、前記フレームの前記パネル支持部は、前記表示パネルの外周部に沿って延びているとともに、前記突起が前記表示パネルの外周部の長手方向に間隔を存して並んだ表示装置。
【請求項９】
請求項８の記載において、前記突起は、前記パネル支持部から前記表示パネルの前記背面の外周部に向けて先細り状に尖った形状を有する表示装置。
【請求項１０】
請求項６ないし請求項９のいずれかの記載において、前記表示パネルの前記背面は、前記光源の光が入射される偏光板で構成され、前記突起の先端が前記偏光板に当接した表示装置。
【請求項１１】
表示パネルと、
前記表示パネルの外周部を部分的に支えるフレームと、を具備した表示装置。
【請求項１２】
請求項１１の記載において、前記表示パネルの外周部に接する前記フレームの面積が、前記表示パネルの外周部の面積よりも小さくなるように構成された表示装置。
【請求項１３】
請求項１２の記載において、前記フレームは、前記表示パネルの外周部に向けて互いに間隔を存して突出された複数の突起を有し、これら突起で前記表示パネルの外周部が支持された表示装置。
【請求項１４】
請求項１２の記載において、前記フレームは、前記表示パネルの外周部に面した部分に複数の凹部を有するとともに、隣り合う凹部の間に規定された領域で前記表示パネルの外周部が支持された表示装置。
【請求項１５】
請求項１１の記載において、前記表示パネルは、表示面の裏側に位置された背面を有し、前記フレームは、前記表示パネルの前記背面を照らすバックライトに熱的に接続されているとともに、前記表示パネルの前記背面の外周部に接するパネル支持部を有し、前記パネル支持部の面積が前記表示パネルの前記背面の外周部の面積よりも小さくなるように構成された表示装置。
【発明の詳細な説明】
【技術分野】
【０００１】
本発明の実施形態は、テレビおよび表示装置に関する。
【背景技術】
【０００２】
例えば液晶テレビは、液晶パネルの背面を照らすバックライトを備えている。バックライトは、導光板および光源を含むとともに、液晶パネルと一緒にフレームに支持されている。
【先行技術文献】
【特許文献】
【０００３】
【特許文献１】特開２００７−３１１３２７号公報
【発明の概要】
【発明が解決しようとする課題】
【０００４】
バックライト用の光源としては、例えば冷陰極蛍光管あるいは発光ダイオードが用いられている。この種の光源は、発光時に発熱を伴うので、光源の熱がフレームを通じて液晶パネルに伝わることがある。
【０００５】
特に、導光板の側方に光源を配置した、いわゆるエッジライト形と称するバックライトでは、フレームに支持された液晶パネルの外周部が局所的に高温下にさらされるのを否めない。この結果、温度に敏感な液晶の応答性が変化したり、液晶パネルの偏光板が熱収縮を起こして高精細な映像を表示する上での妨げとなることがある。
【０００６】
本発明の目的は、専用の遮熱材を用いることなく液晶パネルの外周部が局所的に高温となるのを防止できるテレビおよび表示装置を得ることにある。
【課題を解決するための手段】
【０００７】
一つの実施形態によれば、テレビは、筐体と、筐体に収容された液晶パネル、フレームおよび光源と、を備えている。液晶パネルは、筐体の開口部から露出された表示面と、表示面の裏側に位置された背面と、を有している。フレームは、液晶パネルの背面の外周部に面するパネル支持部を有している。光源は、フレームに支持されて液晶パネルの背面を照らす。フレームのパネル支持部は、液晶パネルの背面の外周部に向けて突出された複数の突起を有し、これら突起で液晶パネルが支持されている。
【図面の簡単な説明】
【０００８】
【図１】第１の実施形態に係る液晶テレビの正面図。
【図２】第１の実施形態に係る液晶テレビの側面図。
【図３】図１に示す液晶テレビのテレビ本体の概略を分解して示す斜視図。
【図４】光源モジュールの斜視図。
【図５】図１のＦ５−Ｆ５線に沿う断面図。
【図６】図６のＦ６−Ｆ６線に沿う断面図。
【図７】第２の実施形態に係る液晶テレビの断面図。
【図８】図７のＦ８−Ｆ８線に沿う断面図。
【図９】第３の実施形態に係る液晶テレビの断面図。
【図１０】図９のＦ１０−Ｆ１０線に沿う断面図。
【発明を実施するための形態】
【０００９】
［第１の実施形態］
以下、第１の実施形態について、図１ないし図６を参照して説明する。
【００１０】
図１および図２は、表示装置の一例である液晶テレビ１を示している。液晶テレビ１は、卓上スタンド２とテレビ本体３とを備えている。
【００１１】
卓上スタンド２は、例えばテレビ台の設置面４の上に置かれているとともに、テレビ本体３を支持している。
【００１２】
図３および図５に示すように、テレビ本体３は、筐体５、液晶パネル６およびエッジライト型のバックライト７を備えている。
【００１３】
筐体５は、フロントカバー８とバックカバー９とで構成されている。フロントカバー８は、第１ないし第４の縁部８ａ，８ｂ，８ｃ，８ｄを有している。第１ないし第４の縁部８ａ，８ｂ，８ｃ，８ｄは、例えば押し出し加工されたアルミニウム合金製の形材で構成されている。第１および第３の縁部８ａ，８ｃは、フロントカバー８の幅方向に互いに平行に延びている。第２および第４の縁部８ｂ，８ｄは、フロントカバー８の高さ方向に互いに平行に延びている。
【００１４】
したがって、第１ないし第４の縁部８ａ，８ｂ，８ｃ，８ｄは、四角い枠形に組み合わされているとともに、互いに協働して四角い開口部１０を規定している。
【００１５】
第１ないし第４の縁部８ａ，８ｂ，８ｃ，８ｄは、図５に示すような共通の断面形状を有している。図５に第２の縁部８ｂを代表して示すように、第１ないし第４の縁部８ａ，８ｂ，８ｃ，８ｄは、夫々前壁１１および周壁１２を有している。前壁１１は、開口部１０の一辺を規定するとともに、筐体５の前面を構成している。周壁１２は、前壁１１の外周縁部から前壁１１と直交する方向に延びて、筐体５の周面を構成している。
【００１６】
バックカバー９は、例えばアルミニウム合金製の四角い板である。フロントカバー８およびバックカバー９は、互いに組み合わせることで、フラットな箱形の筐体５を構成している。
【００１７】
液晶パネル６は、表示パネルの一例であって、筐体５の内部に収容されている。液晶パネル６は、透明な二枚の基板の間に液晶を封入したパネル本体１４と、パネル本体１４の表面に積層された第１の偏光板１５と、パネル本体１４の裏面に積層された第２の偏光板１６とを備えている。
【００１８】
第１の偏光板１５は、映像を表示する液晶パネル６の表示面６ａを構成している。表示面６ａは、筐体５の開口部１０から筐体５の外に露出されている。第２の偏光板１６は、液晶パネル６の背面６ｂを構成している。背面６ｂは、表示面６ａの裏側に位置されている。
【００１９】
図３に示すように、液晶パネル６は、第１ないし第４の縁部１７ａ，１７ｂ，１７ｃ，１７ｄを有している。第１および第３の縁部１７ａ，１７ｃは、液晶パネル６の幅方向に互いに平行に延びている。第２および第４の縁部１７ｂ，１７ｄは、液晶パネル６の高さ方向に互いに平行に延びている。そのため、第１ないし第４の縁部１７ａ，１７ｂ，１７ｃ，１７ｄは、表示面６ａを取り囲む液晶パネル６の外周部を規定している。
【００２０】
図３および図５に示すように、バックライト７は、筐体５の内部に収容されている。バックライト７は、導光体１８、第１の光源モジュール２０および第２の光源モジュール２１を備えている。
【００２１】
導光体１８は、導光板２２、プリズムシート２３、偏光シート２４および反射シート２５を互いに積層することで構成されている。導光板２２は、液晶パネル６に対応した大きさを有する透明な四角い板であって、液晶パネル６の背後に位置されている。
【００２２】
導光板２２は、第１ないし第４の縁部２６ａ，２６ｂ，２６ｃ，２６ｄを有している。第１および第３の縁部２６ａ，２６ｃは、導光板２２の幅方向に互いに平行に延びている。第２および第４の縁部２６ｂ，２６ｄは、導光板２２の高さ方向に互いに平行に延びている。さらに、第１ないし第４の縁部２６ａ，２６ｂ，２６ｃ，２６ｄは、夫々平坦な周面２７を有している。周面２７は、導光板２２の表面２８と裏面２９との間に跨るとともに、導光板２２の周囲に露出されている。
【００２３】
プリズムシート２３は、導光板２２の表面２８に積層されている。偏光シート２４は、プリズムシート２３の上に積層されて、液晶パネル６の背面６ｂと向かい合っている。反射シート２５は、導光板２２の裏面２９に積層されて、バックカバー９に面している。
【００２４】
図３および図５に示すように、液晶パネル６およびバックライト７の導光体１８は、フレーム３０を介して筐体５の内部に支持されている。フレーム３０は、第１ないし第４の片部３１ａ，３１ｂ，３１ｃ，３１ｄを有している。第１ないし第４の片部３１ａ，３１ｂ，３１ｃ，３１ｄは、例えば押し出し加工されたアルミニウム合金製の形材で構成され、互いに共通の断面形状を有している。
【００２５】
第１および第３の片部３１ａ，３１ｃは、導光体１８の幅方向に互いに平行に延びている。第２および第４の片部３１ｂ，３１ｄは、導光体１８の高さ方向に互いに平行に延びている。第１ないし第４の片部３１ａ，３１ｂ，３１ｃ，３１ｄは、四角い枠形に組み合わされて、導光体１８を周方向に連続して取り囲んでいる。
【００２６】
図５にフレーム３０の第２の片部３１ｂを代表して示すように、第１ないし第４の片部３１ａ，３１ｂ，３１ｃ，３１ｄは、フロントカバー９の前壁１１の外周部とバックカバー９の外周部との間に介在されて、フロントカバー９およびバックカバー９で覆われている。
【００２７】
フロントカバー９、バックカバー９およびフレーム３０は、複数の第１ねじ３２を介して一体的に結合されている。第１のねじ３２は、フロントカバー９およびバックカバー９の周方向に間隔を存して配列されている。
【００２８】
第１のねじ３２は、バックカバー９およびフレーム３０を筐体５の背後から貫通するとともに、フロントカバー８に設けたねじ孔３３にねじ込まれている。このねじ込みにより、フロントカバー８とバックカバー９とが互いに連結されているとともに、フレーム３０がフロントカバー８とバックカバー９との間で挟み込まれている。この結果、フレーム３０は、フロントカバー８およびバックカバー９に熱的に接続されている。
【００２９】
フレーム３０の第１ないし第４の片部３１ａ，３１ｂ，３１ｃ，３１ｄは、夫々図５に示すようなパネル支持部３４を備えている。パネル支持部３４は、第１ないし第４の片部３１ａ，３１ｂ，３１ｃ，３１ｄから液晶パネル６の外周部と導光体１８の外周部との間に突出されている。パネル支持部３４は、液晶パネル６の外周部に沿うように第１ないし第４の片部３１ａ，３１ｂ，３１ｃ，３１ｄの全長に亘って延びている。
【００３０】
このため、液晶パネル６の外周部は、フロントカバー８の前壁１１とフレーム３０のパネル支持部３４との間に介在されている。同様に、導光体１８の外周部は、バックカバー９とフレーム３０のパネル支持部３４との間に介在されている。
【００３１】
図３および図５に示すように、液晶パネル６の左側に位置されたフレーム３０の第２の片部３１ｂおよび液晶パネル６の右側に位置されたフレーム３０の第４の片部３１ｄは、夫々光源支持部を兼ねている。第２の片部３１ｂおよび第４の片部３１ｄは、受熱面３５を有している。受熱面３５は、フラットな面であり、筐体５の内部で導光板２２の周面２７と向かい合っている。
【００３２】
さらに、第２の片部３１ｂおよび第４の片部３１ｄのパネル支持部３４は、夫々液晶パネル６の背面６ｂの外周部に向けて突出された複数の突起３７を備えている。図５および図６に示すように、突起３７は、液晶パネル６の幅方向に直線状に延びているとともに、液晶パネル６の第２および第４の縁部１７ｂ，１７ｄの長手方向に間隔を存して一列に並んでいる。
【００３３】
第１の実施形態によると、各突起３７は、パネル支持部３４から液晶パネル６の背面６ｂに向けて先細り状に形成されている。具体的に述べると、各突起３７は、例えば楔のような三角形の断面形状を有し、尖った先端３７ａを含んでいる。
【００３４】
突起３７の先端３７ａは、液晶パネル６の背面６ｂを構成する第２の偏光板１６に突き当たって、液晶パネル６を背後から支えている。このため、突起３７の先端３７ａは、第２の偏光板１６に対し液晶パネル６の幅方向に線接触された状態にあるとともに、液晶パネル６の高さ方向に点接触された状態にある。
【００３５】
よって、パネル支持部３４は、液晶パネル６の背面６ｂの外周部を部分的に支えているということができる。
【００３６】
このような突起３７の存在により、パネル支持部３４のうち第２の偏光板１６に接する部分の面積は、第２の偏光板１６のうちパネル支持部３４に面する部分の面積よりも格段に狭くなっている。
【００３７】
言い換えると、例えば図６に示すように、パネル支持部３４のうち第２の偏光板１６に面する部分に、液晶パネル６の幅方向に沿う複数の凹部３８を液晶パネル６の高さ方向に間隔を存して一列に配置した場合、隣り合う凹部３８の間に残った領域を突起３７の先端３７ａと規定することができる。そのため、各凹部３８は、液晶パネル６の背面６ｂの外周部に向けて拡開された形状とすることが望ましい。
【００３８】
さらに、第１の実施形態によると、各突起３７は、一端に連通口３９を有する中空状に形成されている。図５に示すように、連通口３９は、パネル支持部３４の先端に位置されているとともに、筐体５の内部で液晶パネル６と導光体１８との間に開口されている。
【００３９】
図３に示すように、フレーム３０の第１の片部３１ａのパネル支持部３４および第３の片部３１ｃのパネル支持部３４は、夫々フラットな支持面４１を有している。支持面４１は、液晶パネル６の背面６ｂを構成する第２の偏光板１６の外周部に突き合わされて、液晶パネル６を背後から支えている。
【００４０】
図５に示すように、第１の緩衝シート４２がフロントカバー８の前壁１１と液晶パネル６の表示面６ａの外周部との間に介在されている。同様に、第２の緩衝シート４３が第１ないし第４の片部３１ａ，３１ｂ，３１ｃ，３１ｄのパネル支持部３４と導光体１８の外周部との間に介在されている。
【００４１】
この結果、液晶パネル６は、フロントカバー８の前壁１１とフレーム３０のパネル支持部３４との間で挟持されている。同様に、導光体１８は、バックカバー９とフレーム３０のパネル支持部３４との間で挟持されている。
【００４２】
前記第１および第２の光源モジュール２０，２１は、液晶パネル６の表示面６ａに表示される映像の視認性を高めるための要素である。第１の光源モジュール２０は、フレーム３０の第２の片部３１ｂの受熱面３５に固定されて、導光板２２の左側の周面２７と向かい合っている。第２の光源モジュール２１は、フレーム３０の第４の片部３１ｄの受熱面３５に固定されて、導光板２２の右側の周面２７と向かい合っている。
【００４３】
第１および第２の光源モジュール２０，２１は、互いに共通の構成を有するため、導光板２２の左側に位置された第１の光源モジュール２０を代表して説明する。
【００４４】
図４および図５に示すように、第１の光源モジュール２０は、ベース４５と複数の発光部４６とを備えている。ベース４５は、例えば押し出し加工されたアルミニウム合金製の形材で構成され、導光板２２の周面２７に沿って一直線状に延びている。ベース４５は、第１の平坦面４５ａと、第１の平坦面４５ａの裏側に位置された第２の平坦面４５ｂとを有している。
【００４５】
発光部４６は、ベース４５の長手方向に沿って一列に並んでいる。各発光部４６は、基板４７、発光ダイオード４８および封止材４９を備えている。基板４７は、ベース４５の第１の面４５ａの上に接着されている。発光ダイオード４８は、動作中に発熱を伴う光源の一例であって、基板４７の表面に実装されている。封止材４９は、蛍光体を含む透明な樹脂材料で構成され、発光ダイオード４８を覆うように基板４７に積層されている。
【００４６】
第１の光源モジュール２２は、発光部４６が導光板２２の周面２７を向くような姿勢でフレーム３０の受熱面３５に取り付けられている。具体的には、発光部４６を有するベース４５がフレーム３０の受熱面３５に複数の第２のねじ５０を介して固定されている。この固定により、ベース４５の第２の面４５ｂが受熱面３５に密着されて、第１の光源モジュール２０がフレーム３０に熱的に接続されている。
【００４７】
このような構成によると、第１および第２の光源モジュール２０，２１の発光ダイオード４８から放射された光は、図５に矢印で示すように導光板２２の周面２７に入射される。導光板２２に入射された光は、プリズムシート２３および偏光シート２４を透過して液晶パネル６の背面６ｂに向かう。
【００４８】
さらに、導光板２２に入射された光のうち、バックカバー９に向かう光は、反射シート２５で反射された後、プリズムシート２３および偏光シート２４を透過して液晶パネル６の背面６ｂに向かう。
【００４９】
したがって、導光体１８から液晶パネル６に向けて光が照射され、液晶パネル６の表示面６ａに表示された映像の視認性が高まる。
【００５０】
第１の実施形態に係る液晶テレビ１によると、第１および第２の光源モジュール２０，２１が発光している時、発光ダイオード４８が発する熱は、基板４７を介してベース４５に伝わるとともに、ベース４５からフレーム３０の第２および第４の片部３１ｂ，３１ｄに伝わる。ベース４５およびフレーム３０は、共に熱伝導性に優れたアルミニウム合金製であるため、発光ダイオード４８の熱がベース４５からフレーム３０に効率よく拡散される。
【００５１】
フレーム３０は、筐体５を構成するフロントカバー８およびバックカバー９に一体的に結合されて、これらフロントカバー８およびバックカバー９に熱的に接続されている。フロントカバー８およびバックカバー９は、共に熱伝導性に優れたアルミニウム合金製であるため、フレーム３０に拡散された発光ダイオード４８の熱が、フレーム３０からフロントカバー８およびバックカバー９の双方に効率よく伝わる。
【００５２】
フロントカバー８およびバックカバー９は、テレビ本体３の外に露出されて、液晶テレビ１の外郭を構成している。このため、発光ダイオード４８の熱をフロントカバー８およびバックカバー９から大気中に放出することができ、筐体５の内部に発光ダイオード４８の熱が滞留し難くなる。
【００５３】
一方、液晶パネル６の背面６ｂの外周部は、フレーム３０の第１ないし第４の片部３１ａ，３１ｂ，３１ｃ，３１ｄのパネル支持部３４によって支持されている。この際、第２および第４の片部３１ｂ，３１ｄは、前記のように発光ダイオード４８の熱を受けるので、発光ダイオード４８の熱が第２および第４の片部３１ｂ，３１ｄからパネル支持部３４に伝わる。
【００５４】
しかるに、第１の実施形態によると、第２および第４の片部３１ｂ，３１ｄのパネル支持部３４は、液晶パネル６の背面６ｂの外周部に向けて突出された複数の楔状の突起３７を有している。これら突起３７の尖った先端３７ａは、液晶パネル６の背面６ｂに突き当たって、液晶パネル３６を背後から支えている。
【００５５】
すなわち、各突起３７の先端３７ａは、液晶パネル６の第２の偏光板１６に対し液晶パネル６の幅方向に線接触された状態にあるとともに、液晶パネル６の高さ方向に点接触された状態にある。この結果、発光ダイオード４８の熱を受けるパネル支持部３４と液晶パネル６の背面６ａとの間の接触面積が減少し、発光ダイオード４８の熱がパネル支持部３４から液晶パネル６の外周部に伝わり難くなる。
【００５６】
よって、格別な断熱材を用いることなく液晶パネル６の背面６ｂの外周部が局所的に高温となるのを防止できる。これにより、液晶パネル６の第２の偏光板１６の熱収縮を抑制することができ、高画質な映像を得ることができる。
【００５７】
さらに、突起３７は中空状であるとともに、筐体５の内部で液晶パネル６と導光体１８との間に開口された連通口３９を有している。この構成によれば、パネル支持部３４から突起３７に伝えられた発光ダイオード４８の熱が、突起３７の内側の空間を伝わって連通口３９から筐体５の内部に逃げ易くなる。
【００５８】
このため、突起３７の放熱効率を高めることができ、液晶パネル６の裏面６ｂの外周部に対する局所的な熱伝導を抑制する上で好都合となる。
【００５９】
第１実施形態において、液晶パネル６の背面６ｂに突き当たる突起３７は、第１および第２の光源モジュール２０，２１が固定された第２および第４の片部３１ｂ，３１ｄのパネル支持部３４のみに形成することに限らない。例えば、突起３７は、第１ないし第４の片部３１ａ，３１ｂ，３１ｃ，３１ｄの全てのパネル支持部３４に同様に形成してもよい。
【００６０】
この構成によれば、第１および第３の片部３１ａ，３１ｃのパネル支持部３４と液晶パネル６の裏面６ｂの外周部との間の接触面積が減少するので、たとえ発光ダイオード４８の熱が第２および第４の片部３１ｂ，３１ｄから第１および第３の片部３１ａ，３１ｃのパネル支持部３４に伝わっても、このパネル支持部３４に対応する液晶パネル６の外周部への局所的な熱伝導を抑制することができる。
【００６１】
さらに、フレーム３０は、アルミニウム合金のような金属製とすることに限らない。例えば、第１および第２の光源モジュール２０，２１から伝わる熱を十分に放出することができれば、フレーム３０を樹脂製としてもよい。
【００６２】
それとともに、光源にしても発光ダイオードに限らず、例えば冷陰極蛍光管やエレクトロルミネセンスのようなその他の光源を用いてもよい。
【００６３】
［第２の実施形態］
図７および図８は、第２の実施形態を開示している。第２の実施形態は、パネル支持部３４の突起３７に関する事項が第１の実施形態と相違しており、それ以外の液晶テレビ１の構成は、第１の実施形態と同様である。そのため、第２の実施形態において、第１の実施形態と同一の構成部分には同一の参照符号を付して、その説明を省略する。
【００６４】
図７および図８に示すように、楔状の突起３７は、内部がくり抜かれていない中実な断面形状を有し、突起３７の尖った先端３７ａが液晶パネル６の背面６ｂの外周部に突き当たっている。
【００６５】
このような第２の実施形態においても、突起３７の存在によりパネル支持部３４と液晶パネル６の裏面６ｂの外周部との間の接触面積が減少する。そのため、液晶パネル６の外周部への局所的な熱伝導を抑制することができ、前記第１の実施形態と同様の効果を得ることができる。
【００６６】
加えて、突起３７が中実の断面形状を有するので、突起７３の強度を十分に確保することができ、液晶パネル６を背後からしっかりと支えることができる。
【００６７】
［第３の実施形態］
図９および図１０は、第３の実施形態を開示している。第３の実施形態は、液晶パネル６の背面６ｂの外周部を背後から支える構成が第１の実施形態と相違しており、それ以外の液晶テレビ１の構成は、第１の実施形態と同様である。そのため、第３の実施形態において、第１の実施形態と同一の構成部分には同一の参照符号を付して、その説明を省略する。
【００６８】
図９および図１０は、フレーム３０の第２の片部３１ｂに設けられたパネル支持部３４と液晶パネル６との位置関係を示している。パネル支持部３４は、液晶パネル６の背面６ｂの外周部に向けて一体に突出された複数の突起６１を有している。突起６１は、四角い柱状をなすとともに、パネル支持部３４の上に互いに間隔を存してマトリクス状に配列されている。各突起６１は、四角い先端面６１ａを有している。先端面６１ａは、フラットであるとともに、全ての突起６１の先端面６１ａは、同一の平面上に位置されている。突起６１の先端面６１ａは、液晶パネル６の背面６ｂを構成する第２の偏光板１６の外周部に突き合わされて、液晶パネル６を背後から支えている。
【００６９】
このような突起６１の存在により、パネル支持部３４のうち第２の偏光板１６に接する部分の面積は、第２の偏光板１６のうちパネル支持部３４に面する部分の面積よりも格段に狭くなっている。
【００７０】
このような第３の実施形態によると、パネル支持部３４と液晶パネル６の裏面６ｂの外周部との間の接触面積が減少する。そのため、液晶パネル６の外周部への局所的な熱伝導を抑制することができ、高画質な映像を得ることができる。
【００７１】
第３の実施形態において、マトリクス状に配列された突起は、例えばパネル支持部の上面に複数の溝を格子状に形成することによっても得ることができる。言い換えると、複数の溝によって囲まれた四角い領域を突起の先端面と規定することができる。
【００７２】
さらに、突起は、角柱状に限らず、例えば円柱状としてもよいし、先細り状に尖った角錐状あるいは円錐状としてもよい。突起を角錐状あるいは円錐状に形成した場合、突起が液晶パネルの背面に対し点で接触することになり、突起と液晶パネルとの間の接触面積がより減少する。よって、パネル支持部に伝えられた発光ダイオードの熱が液晶パネルの外周部に伝わり難くなり、液晶パネルに対する熱影響を効率よく緩和することができる。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
５…筐体、６…液晶パネル（表示パネル）、６ａ…表示面、６ｂ…背面、７…バックライト、１０…開口部、３０…フレーム、３４…パネル支持部、３７，６１…突起、４８…光源（発光ダイオード）。
【図１】
2013012953.tif 000003
【図２】
2013012953.tif 000004
【図３】
2013012953.tif 000005
【図４】
2013012953.tif 000006
【図５】
2013012953.tif 000007
【図６】
2013012953.tif 000008
【図７】
2013012953.tif 000009
【図８】
2013012953.tif 000010
【図９】
2013012953.tif 000011
【図１０】
2013012953.tif 000012